Podtech/llm-jp-corpus-v4-ja_patent huggingface dataset:
【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
イオンチャネル記録、液−液に基づくセンサー、および抵抗パルス粒子カウントから選択されるいずれか１つの用途のセンサーデバイスであって；
少なくとも１つのセンサー素子を有し；
前記素子は、表面が化学修飾されたダイヤモンド薄フィルム基材、および前記基材に含まれるナノポアまたはマイクロポアであるポアを有する、センサーデバイス。
【請求項２】
前記ダイヤモンド薄フィルム基材が、厚さ、第一の面、および第二の面を有し、前記第一の面は前記第二の面の反対側にある、請求項１に記載のデバイス。
【請求項３】
前記ポアが、円錐状、先細り状、円柱状、額縁状（picture frame）、前記ダイヤモンド薄フィルム基材の［１００］面中の［１１１］ファセット面のエッチングピット、または半球状の形状を有する、請求項１または２に記載のデバイス。
【請求項４】
２つ以上のポアを有するポアのアレイを有する、請求項１から３のいずれか１項に記載のデバイス。
【請求項５】
各ポアが、個々のチャンバー内に封入されており、各チャンバーは、支持構造上にアレイ状のフォーマットで配列されている、請求項４に記載のデバイス。
【請求項６】
前記ダイヤモンド薄フィルム基材が、テンプレート構造または層状構造を有し、前記層状構造は、導電性の異なるダイヤモンドの層を有する、請求項１から５のいずれか１項に記載のデバイス。
【請求項７】
前記ダイヤモンド薄フィルム基材の表面が、３‐シアノプロピルジメチルクロロシランまたはその他のシランによるシラン処理、オゾン処理、表面酸化、表面ハロゲン化、分子の光化学的結合、もしくはこれらの組み合わせから選択される処理によって化学修飾されたものであり、ならびに／または、
前記表面が、親水性官能性および疎水性官能性を有する、請求項１から６のいずれか１
項に記載のデバイス。
【請求項８】
前記親水性官能性が、前記ダイヤモンド薄フィルム基材の第一の面に存在し、前記疎水性官能性が、第二の面に存在し、前記第一および第二の面の間の境界は、前記ポアに対して確定された位置に存在し；ならびに／または、
前記親水性官能性が、酸素終端表面を含み、および／もしくは前記疎水性官能性が、水素終端表面を含む、請求項７に記載のデバイス。
【請求項９】
前記ダイヤモンド薄フィルム基材が、２つのコンパートメントを分離し、各コンパートメントは電解質溶液を含んでいる、請求項１から８のいずれか１項に記載のデバイス。
【請求項１０】
分析物の単分子検出、センサー素子と分析物との間の相互作用の分析、またはイオン移動の測定のための方法であって、前記方法が：
分析物を含有する溶液を提供すること；
前記分析物を認識するセンサー素子を含むデバイスであって、ここで、前記センサー素子がダイヤモンド薄フィルム基材および前記基材に含まれるナノポアまたはマイクロポアであるポアを有するデバイス、を提供すること；
前記デバイスを前記溶液と接触させ、それによって前記センサー素子の外側表面が前記溶液に浸漬され、内側ポア表面が前記溶液と接触するようにすること；
前記ダイヤモンド薄フィルム基材の両側に電圧を印加すること；ならびに、
観測された電気伝導度を用いて前記分析物の濃度を測定すること、
を含む、方法。
【請求項１１】
前記センサー素子が前記分析物と結合し、前記結合イベントが、前記センサー素子を通る電流の減少を引き起こす、請求項１０に記載の方法。
【請求項１２】
前記溶液が、支持電解質を含有する有機溶媒と接触する電解質水溶液、およびイオン液体と接触する電解質水溶液から選択される２つの不混和性液体を含む、請求項１０または１１に記載の方法。
【請求項１３】
前記不混和性液体の間の界面が、金属ナノ粒子、半導体ナノ粒子、脂質、ポリマー、イオン性および両性イオン性界面活性剤、導電性ポリマー、酸化還元ポリマー、ならびにこれらの組み合わせから選択される修飾剤を用いて修飾される、請求項１２に記載の方法。
【請求項１４】
電気化学分析が分光測定と組み合わされる、請求項１２または１３に記載の方法。
【請求項１５】
請求項１から９のいずれか１項に記載のデバイスを用いることを含む分析の方法であって、前記方法が、
細胞；細菌；ウイルス；ポリマー粒子；イオン、分子；ならびに小分子、ペプチド、もしくは高分子薬物の製剤および送達に用いられるナノ粒子、を分析するためのものであり、ならびに／または、
単分子の検出、ＤＮＡの検出およびシークエンシング、粒子カウント、薬物送達システムのモデリング、液−液界面プロセスの研究、血液分析、イオン移動ボルタンメトリーもしくは電位差測定分析、および／もしくはタンパク質イオンチャネルによる新薬のスクリーニングのためのものであり、ならびに／または、
環境水分析、国土安全保障のためのセンサーにおける分析、および／もしくは軍事用途における分析に用いるためのものである方法。
【手続補正書】
【提出日】平成24年4月3日(2012.4.3)
【手続補正１】
【補正対象書類名】特許請求の範囲
【補正対象項目名】全文
【補正方法】変更
【補正の内容】
【特許請求の範囲】
【請求項１】
超音波試験の方法において、
放射波をポンプレーザー源から結晶の内部に設けられている第１の光変換器へ放射するステップであって、前記第１の光変換器は、前記放射波を信号波及びアイドラー波に変換し、前記アイドラー波の波長は、中赤外線範囲である、ステップと、
前記信号波及びアイドラー波を、前記第１の光変換器と共に結晶の内部に設けられている第２の光変換器へ方向付けるステップであって、前記第２の光変換器は、前記信号波の波長を中赤外線範囲に変換し、前記アイドラー波は、実質的には変化せずに前記第２の光変換器を通過し、及び前記アイドラー波は、単一の出力波を形成するように前記変換された信号波と結合する、ステップと、
検査対象を超音波検査するために、前記単一の出力波を検査対象の検査表面に放射するステップと
を含んでいることを特徴とする方法。
【請求項２】
請求項１記載の方法において、前記単一の出力波は、前記検査表面上に超音波変位を発生する発生波であることを特徴とする方法。
【請求項３】
請求項１記載の方法において、前記単一の出力波は、前記検査表面上の超音波変位を検出する検出波であることを特徴とする方法。
【請求項４】
請求項１〜３いずれかに記載の方法において、前記検査表面は、複合物であることを特徴とする方法。
【請求項５】
請求項１〜４いずれかに記載の方法において、前記第１の光変換器は、光パラメトリック発振器を備えていることを特徴とする方法。
【請求項６】
請求項１〜５いずれかに記載の方法において、前記第２の光変換器は、光パラメトリック変換器及び差周波発生器から選択されたデバイスを備えていることを特徴とする方法。
【請求項７】
請求項１〜６いずれかに記載の方法において、前記第１の光変換器及び第２の光変換器は、前記結晶の異なる部分に分離して配置されることを特徴とする方法。
【請求項８】
請求項１〜６いずれかに記載の方法において、前記第１の光変換器及び第２の光変換器は、前記結晶の中に統合されて配置されることを特徴とする方法。
【請求項９】
請求項１〜８いずれかに記載の方法において、前記ポンプレーザー波の波長は、約１．０６４ミクロンであり、前記信号波の波長は、約１．５９４ミクロンであり、且つ前記アイドラー波の波長は、約３．２ミクロンであることを特徴とする方法。
【請求項１０】
請求項１〜９いずれかに記載の方法において、前記出力波の波長は、約３〜４ミクロンであることを特徴とする方法。
【請求項１１】
請求項１〜１０いずれかに記載の方法において、前記出力波の波長は、約３．２ミクロンであることを特徴とする方法。
【請求項１２】
検査対象を超音波試験の方法において、
（ａ）結晶に対して、約１．０６４ミクロンの波長の入力レーザー波を放射するステップと、
（ｂ）前記入力レーザー波を、約１．５９４ミクロンの波長を有する信号波と約３．２ミクロンの波長を有するアイドラー波に変換するステップと、
（ｃ）前記結晶の別の部分において、前記信号波の波長を約３．２ミクロンの波長に変換するステップと、
（ｄ）前記検査対象の検査表面に、前記アイドラー波及び波長が変換された前記信号波の混合波を放射することによって、該検査表面に超音波変位を生成するステップと
を含んでいることを特徴とする方法。
【請求項１３】
請求項１２記載の方法において、該方法はさらに、
別のレーザー波を生成して、該レーザー波を振動している前記検査表面に放射するステップと、
前記検査表面の変位を検出するステップと
を含んでいることを特徴とする方法。
【請求項１４】
請求項１２又は１３記載の方法において、前記ステップ（ａ）は、前記入力レーザー波を光パラメトリック発振器に放射するステップであることを特徴とする方法。
【請求項１５】
請求項１２〜１４いずれかに記載の方法において、前記ステップ（ｂ）は、前記信号波及びアイドラー波を、光パラメトリック発振器及び別の周波数発生器から選択された周波数変換器からなるデバイスに放射するステップからなることを特徴とする方法。
【請求項１６】
レーザー超音波試験システムにおいて、
入力レーザー源と、
結晶と、
前記入力レーザー源からの入力レーザー波を信号波及びアイドラー波に変換する変換器であって、前記結晶内に配置される第１の光周波数変換器と、
前記結晶内に前記第１の光周波数変換器と統合して配置される第２の光周波数変換器であって、前記信号波の波長を前記アイドラー波と実質的に同じ波長に変換し、該変換された信号波及びアイドラー波を含む複合出力波であって、検査対象の対象表面上に超音波振動を発生するように、前記対象表面に方向付けることが可能である複合出力波を生成する第２の光周波数変換器と、
前記目標表面に方向付けることが可能であり且つ超音波変位を検出するように構成される検出レーザーと
を備えていることを特徴とするレーザー超音波試験システム。
【請求項１７】
請求項１６記載のレーザー超音波試験システムにおいて、前記入力レーザー波は、約１．０６４ミクロンの波長を有していることを特徴とするレーザー超音波試験システム。
【請求項１８】
請求項１６又は１７記載のレーザー超音波試験システムにおいて、前記アイドラー波及び前記変換された信号波は、約３〜約４ミクロンの範囲の波長を有していることを特徴とするレーザー超音波試験システム。
【請求項１９】
請求項１６〜１８いずれかに記載のレーザー超音波試験システムにおいて、前記アイドラー波及び前記変換された信号波は、約３．２ミクロンの波長を有していることを特徴とするレーザー超音波試験システム。
【請求項２０】
請求項１６〜１９いずれかに記載のレーザー超音波試験システムにおいて、前記第１の光変換器は、光パラメトリック発振器を備えていることを特徴とするレーザー超音波試験システム。
【請求項２１】
請求項１６〜２０いずれかに記載のレーザー超音波試験システムにおいて、前記第２の光変換器は、光パラメトリック発振器及び差周波発生器から選択されたデバイスを備えていることを特徴とするレーザー超音波試験システム。
【手続補正書】
【提出日】平成24年4月25日(2012.4.25)
【手続補正１】
【補正対象書類名】特許請求の範囲
【補正対象項目名】全文
【補正方法】変更
【補正の内容】
【特許請求の範囲】
【請求項１】
解剖学的画像補正システムにおいて、
対象のスキャン中に取得された欠損した解剖学的画像データ及び前記対象のＰＥＴスキャン中に取得された陽電子放出断層撮影（ＰＥＴ）データを記憶するメモリと、
前記取得されたＰＥＴデータから非減衰補正（ＮＡＣ）ＰＥＴ画像を再構成し、前記取得された欠損した解剖学的画像データから減衰マップを生成し、前記ＮＡＣ  ＰＥＴ画像内の輪郭を使用して前記減衰マップ内の欠損した画像データを補償するプロセッサと、
を有するシステム。
【請求項２】
前記プロセッサが、前記減衰マップ内のデータの精度の尤度を決定する、請求項１に記載のシステム。
【請求項３】
前記プロセッサは、領域内の欠損したデータが所定の閾値より下の精度の尤度を持つかどうかを決定することにより前記減衰マップの欠損した領域を識別する、請求項２に記載のシステム。
【請求項４】
前記プロセッサが、前記減衰マップの欠損した領域に対応する前記ＮＡＣ  ＰＥＴ画像内の輪郭を識別する、請求項１ないし３のいずれか一項に記載のシステム。
【請求項５】
前記プロセッサが、前記識別された輪郭に応じて前記減衰マップの前記欠損した領域を補正するのに使用する組織タイプを推測する、請求項４に記載のシステム。
【請求項６】
前記プロセッサが、前記欠損した領域を補正するのに前記推測された組織タイプと調和する補間データで前記欠損した領域を埋める、請求項５に記載のシステム。
【請求項７】
前記プロセッサが、前記ＰＥＴデータから減衰補正ＰＥＴ画像を再構成するのに前記補正された減衰マップを使用する、請求項６に記載のシステム。
【請求項８】
前記欠損した解剖学的画像を取得する撮像装置と、前記ＰＥＴデータを取得するＰＥＴスキャナとを有する、請求項１ないし７のいずれか一項に記載のシステム。
【請求項９】
前記ＮＡＣ  ＰＥＴ画像、前記減衰マップ、並びに前記ＮＡＣ  ＰＥＴ画像及び前記減衰マップのオーバレイをユーザに提示するディスプレイを有する、請求項１ないし８のいずれか一項に記載のシステム。
【請求項１０】
前記ＮＡＣ  ＰＥＴ画像及び前記減衰マップを再構成する手段と、
前記ＮＡＣ  ＰＥＴ画像内の輪郭を使用して前記減衰マップ内の欠損したデータを補正する手段と、
前記補正された減衰マップを使用して減衰ＰＥＴデータを補正する手段と、
を有する、請求項１ないし９のいずれか一項に記載のシステム。
【請求項１１】
前記メモリが、
前記ＮＡＣ  ＰＥＴ画像を生成するルーチンと、
前記輪郭を識別するように前記ＮＡＣ  ＰＥＴ画像をセグメント化するルーチンと、
前記減衰マップ内の欠損した領域を識別するルーチンと、
前記識別された輪郭をガイドとして使用して前記欠損した領域を補正するルーチンと、
前記補正された減衰マップを使用して減衰補正ＰＥＴ画像を再構成するルーチンと、
を含む機械実行可能命令を記憶し、前記プロセッサが、前記機械実行可能命令を実行する、請求項１ないし１０のいずれか一項に記載のシステム。
【請求項１２】
非減衰補正（ＮＡＣ）陽電子放出断層撮影（ＰＥＴ）を使用して減衰マップを補正する方法において、
前記ＮＡＣ  ＰＥＴ画像を生成するステップと、
体輪郭を識別するように前記ＮＡＣ  ＰＥＴ画像をセグメント化するステップと、
前記減衰マップ内の欠損した領域を識別するステップと、
欠損補償に対して使用する適切な組織タイプを推測するように前記識別された輪郭を使用して前記減衰マップの前記欠損した領域を補正するステップと、
前記補正された減衰マップを使用して減衰補正ＰＥＴ画像を再構成するステップと、
を有する方法。
【請求項１３】
前記減衰マップを生成するのに使用される前記欠損した解剖学的画像データを取得するスキャンと、前記ＮＡＣ  ＰＥＴ画像及び前記減衰補正ＰＥＴ画像を生成するのに使用されるＰＥＴデータを取得するＰＥＴスキャンを順次的に実行するステップを有する、請求項１２に記載の方法。
【請求項１４】
前記欠損したスキャンと前記ＰＥＴスキャンとの間の患者の動きを識別するように前記取得されたＰＥＴデータから得られた前記体輪郭及び前記取得された欠損した画像データを使用するステップを有する、請求項１３に記載の方法。
【請求項１５】
前記減衰マップ、前記ＮＡＣ  ＰＥＴ画像、並びに前記ＮＡＣ  ＰＥＴ画像及び前記減衰マップのオーバレイをユーザに表示するステップを有する、請求項１２ないし１４のいずれか一項に記載の方法。
【請求項１６】
前記減衰マップ内のデータの精度の尤度を決定するステップを有する、請求項１２ないし１５のいずれか一項に記載の方法。
【請求項１７】
領域内の欠損したデータが所定の閾値より下の精度の尤度を持つかどうかを決定することにより前記減衰マップの前記欠損した領域を識別するステップを有する、請求項１６に記載の方法。
【請求項１８】
複数の体輪郭を識別するステップと、前記欠損した領域を識別した後に前記減衰マップ内の前記欠損したデータを補正するのに使用する前記欠損した領域に対応する体輪郭を選択するステップとを有する、請求項１２ないし１７のいずれか一項に記載の方法。
【請求項１９】
請求項１２ないし１８のいずれか一項に記載の方法を実行するようにプログラムされたプロセッサを有する解剖学的画像システム。
【請求項２０】
請求項１２ないし１８のいずれか一項に記載の方法を実行するように１以上のコンピュータを制御するソフトウェアを記憶したコンピュータ可読媒体。
【請求項２１】
前記体輪郭を放出境界として使用するステップと、散乱補正に対して単一散乱シミュレーションプロシージャを実行するステップと、前記減衰補正ＰＥＴ画像を再構成する場合に純粋散乱テイルを規定及び補正するようにテイルフィッティングプロシージャを実行するステップとを有する、請求項１２ないし１８のいずれか一項に記載の方法。
【請求項２２】
コンピュータ断層撮影（ＣＴ）画像を補正する方法において、
非減衰補正（ＮＡＣ）陽電子放出断層撮影（ＰＥＴ）画像を生成するステップと、
体輪郭を識別するように前記ＮＡＣ  ＰＥＴ画像をセグメント化するステップと、
前記ＣＴ画像内の欠損した又は減衰した領域を識別するステップと、
前記体輪郭をガイドとして使用して前記ＣＴ画像の欠損した又は減衰した領域と調和する組織タイプを推測するステップと、
補正されたＣＴ画像データセットを生成するように前記推測された組織タイプと調和するＣＴ画像データを前記ＣＴ画像の前記欠損した又は減衰した領域に投影するステップと、
前記ＣＴ画像を補正するように前記補正されたＣＴ画像データセットを逆投影するステップと、
を有する方法。
【手続補正書】
【提出日】平成24年5月17日(2012.5.17)
【手続補正１】
【補正対象書類名】特許請求の範囲
【補正対象項目名】全文
【補正方法】変更
【補正の内容】
【特許請求の範囲】
【請求項１】
光アイソレータ多電圧検出回路であって、
電圧入力であって、電圧源に接続するために配置される、電圧入力と、
発光ダイオード（ＬＥＤ）を有する光アイソレータであって、前記電圧源からの前記電圧入力に印加された入力電圧の存在を検出するように構成される、光アイソレータと、
整流器であって、前記電圧入力に接続するために配置される、整流器と、
ゲート、ソース、およびドレインを有する第１のトランジスタであって、前記第１のトランジスタの前記ドレインは前記整流器に操作可能に連結され、かつ前記第１のトランジスタの前記ソースは前記光アイソレータに操作可能に連結される、第１のトランジスタと、を備え、
前記光アイソレータ、前記整流器、および前記第１のトランジスタは、前記整流器からの電流出力が前記ＬＥＤをバイアスするように、およびさらに、前記入力電圧および前記電流に応答して前記第１のトランジスタを通って消費される電力を許容可能なレベル以下に維持するように配置される、回路。
【請求項２】
ゲート、ソース、およびドレインを有する第２のトランジスタであって、前記第２のトランジスタの前記ソースは、前記第１のトランジスタの前記ドレインに操作可能に連結され、前記第２のトランジスタの前記ドレインは、前記整流器に操作可能に連結される、第２のトランジスタをさらに備え、
前記第１および第２のトランジスタの各々に対して、前記入力電圧および前記電流に応答してトランジスタを通じて消費されるそれぞれの電力は、許容可能なレベル以下に維持される、請求項１に記載の回路。
【請求項３】
前記第１および第２のトランジスタの前記ゲートに操作可能に連結された分圧器であって、前記入力電圧を前記第１および第２のトランジスタ全体で均一に分割するように構成される、分圧器をさらに備える、請求項２に記載の回路。
【請求項４】
前記第１のトランジスタの前記ソースおよび前記光アイソレータに操作可能に連結されたＤＣからＤＣへのコンバータであって、前記整流器からの前記電流出力を一定値に維持するように構成される、ＤＣからＤＣへのコンバータをさらに備える、請求項３に記載の回路。
【請求項５】
前記第１および第２のトランジスタは、Ｎチャネル空乏モード電界効果トランジスタ（ＦＥＴｓ）である、請求項４に記載の回路。
【請求項６】
前記整流器は、ダイオード及び、レジスタまたはキャパシタの少なくとも１つを備える、請求項５に記載の回路。
【請求項７】
第１のツェナーダイオードであって、前記第１のトランジスタの前記ソースおよび前記ドレインに接続するために配置される、第１のツェナーダイオードと、
第２のツェナーダイオードであって、前記第２のトランジスタの前記ソースおよび前記ドレインに接続するために配置される、第２のツェナーダイオードと、をさらに備え、
前記第１および第２のツェナーダイオードは、前記第１および第２のトランジスタ全体の電圧を制限するように構成され、前記回路は、約９ボルトＤＣから２４０ボルトＡＣに及ぶ前記入力電圧を処理することが可能である、請求項２に記載の回路。
【請求項８】
前記第１および第２のトランジスタは、Ｎチャネル空乏モード電界効果トランジスタ（ＦＥＴｓ）である、請求項７に記載の回路。
【請求項９】
前記第１のトランジスタの前記ソースおよび前記光アイソレータに操作可能に連結されたＤＣからＤＣへのコンバータであって、前記ダイオードからの前記電流を一定値に維持するように構成される、ＤＣからＤＣへのコンバータをさらに備える、請求項１に記載の回路。
【請求項１０】
電圧源からの多様な入力電圧を処理するための方法であって、
前記電圧源からの電圧入力に印加された入力電圧の存在を検出するように前記電圧入力に光アイソレータを操作可能に連結するステップと、
前記電圧入力へ操作可能に連結された整流器から電流が検出されると、前記光アイソレータの発光ダイオード（ＬＥＤ）を順方向にバイアスするステップと、
前記入力電圧および前記整流器からの電流に応答して前記第１のトランジスタを通って消費される電力を許容可能なレベル以下に維持するように、第１のトランジスタを前記整流器および前記光アイソレータに操作可能に連結するステップと、を含む、方法。
【請求項１１】
前記第１および第２のトランジスタの各々に対して、前記入力電圧および前記整流器からの電流に応答して前記トランジスタを通じて消費されるそれぞれの電力を前記許容可能なレベル以下に維持するように、第２のトランジスタを前記第１のトランジスタおよび前記整流器に操作可能に連結するステップをさらに含む、請求項１０に記載の方法。
【請求項１２】
分圧器を前記第１および第２のトランジスタに操作可能に連結するステップと、
前記第１および第２のトランジスタ全体で前記入力電圧を分割するように前記分圧器を使用するステップと、をさらに含む、請求項１１に記載の方法。
【請求項１３】
前記整流器からの前記電流を一定値に維持するように、前記第１のトランジスタを前記光アイソレータに操作可能に連結するステップをさらに含む、請求項１２に記載の方法。
【請求項１４】
第１のツェナーダイオードを前記第１のトランジスタに操作可能に連結するステップと、
第２のツェナーダイオードを前記第２のトランジスタに操作可能に連結するステップと、をさらに含み、
前記第１および第２のトランジスタが、約９ボルトＤＣから２４０ボルトＡＣに及ぶ前記入力電圧を処理することが可能であるように、前記第１および第２のツェナーダイオードは、前記第１および第２のトランジスタ全体の前記電圧を制限する、請求項１１に記載の方法。
【請求項１５】
前記整流器からの前記電流を一定値に維持するように、前記第１のトランジスタを前記光アイソレータに操作可能に連結するステップをさらに含む、請求項１０に記載の方法。
【手続補正２】
【補正対象書類名】明細書
【補正対象項目名】００１８
【補正方法】変更
【補正の内容】
【００１８】
ツェナーダイオードＺ２の一端部は、トランジスタＸ１のドレイン端子３１４に接続される。ツェナーダイオードＺ２の他端部は、トランジスタＸ１のソース端子３１２およびレジスタＲ１の一端部に接続される。レジスタＲ１の他端部は、トランジスタＸ１のゲート端子３１６および光アイソレータＤ１の一端部に接続される。光アイソレータＤ１の他端部は、接地ＧＮＤに接続される。他の抵抗値も企図されるが、この場合、レジスタＲ１は７６８オームであることが好ましく、一方でレジスタＲ２は７５０オームであることが好ましい。ツェナーダイオードＺ１、Ｚ２は、Ｓｅｍｉｃｏｎｄｕｃｔｏｒ Ｃｏｍｐｏｎｅｎｔｓ Ｉｎｄｕｓｔｒｉｅｓ ＬＬＣにより販売される部品番号１ＳＭＢ５９５２ＢＴ３であることが好ましく、１３０ボルトの定格電圧および３ワットの定格電力を有する。他の定格電圧および定格電力も企図される。
【手続補正３】
【補正対象書類名】図面
【補正対象項目名】図４
【補正方法】変更
【補正の内容】
【図４】
2011521266.tif 000001
【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
（ａ）複数の交互層を備える光学スタックを有する多層光学フィルムであって、前記交互層は、少なくとも１つの複屈折ポリマー層及び少なくとも１つの第２のポリマー層を有する、多層光学フィルムと、
（ｂ）前記多層光学フィルムの表面上に塗布される柔軟紫外線保護層と、を備え、
選択された太陽電池の吸収帯幅に対応する波長の範囲にわたる平均光の少なくとも主要な部分を反射し、前記選択された太陽電池の前記吸収帯幅の外側の光の主要な部分を伝送又は吸収する、物品。
【請求項２】
（ａ）吸収帯幅を有する１つ、又は２つ以上の太陽電池と、
（ｂ）前記１つ、又は２つ以上の太陽電池に近接して位置付けられる、少なくとも１つの太陽光集光ミラーと、を含む太陽光収集装置であって、前記少なくとも１つの太陽光集光ミラーは、（ｉ）複数の交互層を有する光学スタックを有する多層光学フィルムであって、前記交互層は、少なくとも１つの複屈折ポリマー及び少なくとも１つの第２のポリマーを有する、多層光学フィルムと、（ｉｉ）前記多層光学フィルムの表面上に塗布される紫外線保護層と、を備え、前記太陽光集光ミラーは、前記太陽電池の吸収帯幅に対応する波長の範囲にわたる平均光の少なくとも主要な部分を前記太陽電池上に反射し、前記太陽電池の前記吸収帯幅の外側の光の主要な部分は、前記太陽電池上に反射しない、太陽光収集装置。
【請求項３】
１つ、又は２つ以上の天体追跡機構を更に含み、前記１つ、又は２つ以上の天体追跡機構が、前記１つ、又は２つ以上の太陽電池に隣接して、枢動可能に載置される１つ以上のルーバーを備え、前記１つ、又は２つ以上のルーバーは、前記少なくとも１つの太陽光集光ミラーを備える、請求項２に記載の太陽光収集装置。
【手続補正書】
【提出日】平成24年8月31日(2012.8.31)
【手続補正１】
【補正対象書類名】特許請求の範囲
【補正対象項目名】全文
【補正方法】変更
【補正の内容】
【特許請求の範囲】
【請求項１】
失われたフレームを隠蔽する方法であって、
変形離散コサイン変換（ＭＤＣＴ）係数が失われたことが検出された場合、前記失われたＭＤＣＴ係数に対応する前記失われたフレームより前の履歴信号を使用して、第１の合成信号ｘ’[ｎ]を生成し、
前記第１の合成信号に対して高速逆変形離散コサイン変換（ＩＭＤＣＴ）を実行して、失われたＭＤＣＴ係数に対応するＩＭＤＣＴ係数を取得し、
前記失われたＭＤＣＴ係数に対応する前記ＩＭＤＣＴ係数と、前記失われたＭＤＣＴ係数に対応する前記ＩＭＤＣＴ係数に隣接するＩＭＤＣＴ係数とを使用して、時間領域エイリアシング削減処理（ＴＤＡＣ）を実行し、前記失われたフレームに対応する信号を取得すること
を含み、
前記失われたＭＤＣＴ係数に対応する前記失われたフレームより前の前記履歴信号を使用して、前記第１の合成信号を生成することは、
前記失われたフレームより前に存在する前記履歴信号と、前記履歴信号に対応するピッチ周期とを取得し、
前記履歴信号の最後のＴ０長信号を、ピッチバッファにコピーし、ここで、Ｔ０は、前記ピッチ周期に対応し、
前記履歴信号の最後の５Ｔ０／４において開始され、かつその長さがＴ０／４である信号を、上昇ウィンドウによって乗算して、第１の乗算された信号を取得し、前記ピッチバッファ内の、３Ｔ０／４において開始され、かつその長さがＴ０／４である信号を、下降ウィンドウによって乗算して、第２の乗算された信号を取得し、前記第１の乗算された信号と、前記第２の乗算された信号とに対して、クロス減衰を実行し、前記ピッチバッファ内の、３Ｔ０／４において開始され、かつＴ０／４の長さにわたって延在する信号を、前記クロス減衰された信号によって置き換え、
前記ピッチバッファ内の、長さがＴ０である信号に従って、ピッチ反復法を使用することによって、前記第１の合成信号を生成すること
を含み、
前記失われたＭＤＣＴ係数に対応する前記失われたフレームより前の前記履歴信号を使用して、前記第１の合成信号を生成することは、
前記失われたフレームより後の少なくとも１つのＭＤＣＴ係数を使用して、前記第１の合成信号を補正すること
を更に含み、
前記失われたフレームより後の少なくとも１つのＭＤＣＴ係数を使用して、前記第１の合成信号を補正することは、
前記失われたフレームより後のフレームに対応する前記ＩＭＤＣＴ係数の開始サンプルを、中点とみなし、
前記中点より前のＭｆｐサンプルと、前記中点より後のＭｆｐサンプルとを、波形を第１の合成信号ｘ’［ｎ］と整合させるための固定テンプレートウィンドウとして使用し、
式
【数２】
2011521290.tif 000001
に従って、位相差ｄｆｐを取得し、ここで、Ｎはフレーム内のサンプルの数であり、［−Ｒｆｐ，Ｒｆｐ］は、位相差の許容範囲であり、ｙ’［ｎ］，ｎ＝０，．．．，２Ｎ−１は、式ｙ’［ｎ］＝ｈ［ｎ］・Ｙ［ｎ］，ｎ＝０，．．．，２Ｎ−１に従って、前記ＩＭＤＣＴ係数Ｙ［ｎ］，ｎ＝０，．．．，２Ｎ−１がウィンドウ処理された後に取得される、減衰させられた信号であり、ｈ[ｎ]はサインウィンドウであり、
式
【数３】
2011521290.tif 000002
に従って、前記第１の合成信号ｘ’［ｎ］を調節して、第２の合成信号ｘ”［ｎ］，ｎ＝０，．．．，２Ｎ−１を取得し、
式ｘ’［ｎ］＝（（２Ｎ−ｎ）／（２Ｎ＋１））・ｘ’［ｎ］＋（ｎ／（２Ｎ＋１））・ｘ”［ｎ］  ｎ＝０，．．，２Ｎ−１に従って、前記第１の合成信号ｘ’［ｎ］と、前記第２の合成信号ｘ”［ｎ］とに対してクロス減衰を実行し、前記第１の合成信号ｘ’［ｎ］を、前記クロス減衰された信号によって置き換えること
を含む、方法。
【請求項２】
失われたフレームを隠蔽する方法であって、
変形離散コサイン変換（ＭＤＣＴ）係数が失われたことが検出された場合、前記失われたＭＤＣＴ係数に対応する前記失われたフレームより前の履歴信号を使用して、第１の合成信号ｘ’[ｎ]を生成し、
前記第１の合成信号に対して高速逆変形離散コサイン変換（ＩＭＤＣＴ）を実行して、失われたＭＤＣＴ係数に対応するＩＭＤＣＴ係数を取得し、
前記失われたＭＤＣＴ係数に対応する前記ＩＭＤＣＴ係数と、前記失われたＭＤＣＴ係数に対応する前記ＩＭＤＣＴ係数に隣接するＩＭＤＣＴ係数とを使用して、時間領域エイリアシング削減処理（ＴＤＡＣ）を実行し、前記失われたフレームに対応する信号を取得すること
を含み、
前記失われたＭＤＣＴ係数に対応する前記失われたフレームより前の前記履歴信号を使用して、前記第１の合成信号を生成することは、
前記失われたフレームより前に存在する前記履歴信号と、前記履歴信号に対応するピッチ周期とを取得し、
前記履歴信号の最後のＴ０長信号を、ピッチバッファにコピーし、ここで、Ｔ０は、前記ピッチ周期に対応し、
前記履歴信号の最後の５Ｔ０／４において開始され、かつその長さがＴ０／４である信号を、上昇ウィンドウによって乗算して、第１の乗算された信号を取得し、前記ピッチバッファ内の、３Ｔ０／４において開始され、かつその長さがＴ０／４である信号を、下降ウィンドウによって乗算して、第２の乗算された信号を取得し、前記第１の乗算された信号と、前記第２の乗算された信号とに対して、クロス減衰を実行し、前記ピッチバッファ内の、３Ｔ０／４において開始され、かつＴ０／４の長さにわたって延在する信号を、前記クロス減衰された信号によって置き換え、
前記ピッチバッファ内の、長さがＴ０である信号に従って、ピッチ反復法を使用することによって、前記第１の合成信号を生成すること
を含み、
前記失われたＭＤＣＴ係数に対応する前記失われたフレームより前の前記履歴信号を使用して、前記第１の合成信号を生成することは、
前記失われたフレームより後の少なくとも１つのＭＤＣＴ係数を使用して、前記第１の合成信号を補正すること
を更に含み、
前記失われたフレームより後の少なくとも１つのＭＤＣＴ係数を使用して、前記第１の合成信号を補正することは、
ｚ［ｎ］の最初のＭｂｐ長を、信号テンプレートとみなし、ここで、ｚ[ｎ]、ｎ＝０，．．．，Ｌ−１は前記失われたフレームより後の完全な信号であり、Ｌは前記失われたフレームより後の入手可能な完全なサンプルの数であり、
式
【数４】
2011521290.tif 000003
に従って、前記第１の合成信号ｘ’［ｎ］内のサンプル点ｘ’［２Ｎ］の近くの位相差ｄｂｐを取得し、ここで、［−Ｒｂｐ，Ｒｂｐ］は、位相差の許容範囲であり、Ｎはフレーム内のサンプルの数であり、
前記位相差ｄｂｐが取得された後で、式
【数５】
2011521290.tif 000004
に従って、第２の合成信号ｘ”［ｎ］，ｎ＝０，．．．，２Ｎ−１を取得し、
式ｘ’［ｎ］＝（（２Ｎ−ｎ）／（２Ｎ＋１））・ｘ’［ｎ］＋（ｎ／（２Ｎ＋１））・ｘ”［ｎ］  ｎ＝０，．．，２Ｎ−１に従って、前記第１の合成信号ｘ’［ｎ］と、前記第２の合成信号ｘ”［ｎ］とに対してクロス減衰を実行し、前記第１の合成信号ｘ’［ｎ］を、前記クロス減衰された信号によって置き換えること
を含む、方法。
【手続補正書】
【提出日】平成24年3月8日(2012.3.8)
【手続補正１】
【補正対象書類名】特許請求の範囲
【補正対象項目名】全文
【補正方法】変更
【補正の内容】
【特許請求の範囲】
【請求項１】
電気泳動式の印刷システムにおいて液体キャリアとトナーとを含む液体トナーにより現像された静電荷像を転写するために記録担体を準備する装置において、
記録担体（７）の運動方向にみて転写ステーション（６）の上流側に記録担体（７）に隣接して湿潤ユニット（ＢＥ）が設けられており、該湿潤ユニット（ＢＥ）は、記録担体（７）を液体キャリアで湿潤することを特徴とする、電気泳動式の印刷システムにおいて液体キャリアとトナーとを含む液体トナーにより現像された静電荷像を転写するために記録担体を準備する装置。
【請求項２】
湿潤ユニット（ＢＥ）は、記録担体（７）に当接する湿潤手段（１４）を備えており、該湿潤手段（１４）は、記録担体（７）を液体キャリアで湿潤する、請求項１記載の装置。
【請求項３】
湿潤ユニット（ＢＥ）は、転写ステーション（６）に向かって湿潤手段（１４）の隣に分散手段（１６）を備えており、該分散手段（１６）は、記録担体（７）に沿って液体キャリアを分散する、請求項２記載の装置。
【請求項４】
湿潤ユニット（ＢＥ）は、転写ステーション（６）に向かって湿潤手段（１４）または分散手段（１６）の隣に除去手段（１８）を備えており、該除去手段（１８）は、余剰の液体キャリアを記録担体（７）から取り除く、請求項３記載の装置。
【請求項５】
湿潤手段（１４）は、ローラである、請求項２から４までのいずれか１項記載の装置。
【請求項６】
湿潤手段（１４）は、ブラシである、請求項２から４までのいずれか１項記載の装置。
【請求項７】
記録担体（７）の、湿潤手段（１４）とは反対側に、押圧手段（１５）が配置されており、該押圧手段（１５）は、記録担体（７）を湿潤手段（１４）に押し付ける、請求項２から６までのいずれか１項記載の装置。
【請求項８】
押圧手段（１５）は、対向ローラである、請求項７記載の装置。
【請求項９】
分散手段（１６）は、ブラシまたは軟質のローラである、請求項３から８までのいずれか１項記載の装置。
【請求項１０】
記録担体（７）の、分散手段（１６）とは反対側に、押圧手段（１７）が配置されており、該押圧手段（１７）は、記録担体（７）を分散手段（１６）に押し付ける、請求項８または９記載の装置。
【請求項１１】
押圧手段（１７）は、対向ローラ（１７）である、請求項１０記載の装置。
【請求項１２】
除去手段（１８）は、除去ローラである、請求項４から１１までのいずれか１項記載の装置。
【請求項１３】
記録担体（７）の、除去手段（１８）とは反対側に、押圧手段（１９）が配置されており、該押圧手段（１９）は、記録担体（７）を除去手段（１８）に押し付ける、請求項１２記載の装置。
【請求項１４】
押圧手段（１９）は、対向ローラ（１７）である、請求項１３記載の装置。
【請求項１５】
印刷システム（ＤＳ）は、複数の印刷部（ＤＷ）を備えており、
湿潤ユニット（ＢＥ）は、記録担体（７）の運動方向にみて第１の印刷部（ＤＷ１）の上流側に配置されている、請求項１から１４までのいずれか１項記載の装置。
【手続補正書】
【提出日】平成23年12月6日(2011.12.6)
【手続補正１】
【補正対象書類名】特許請求の範囲
【補正対象項目名】全文
【補正方法】変更
【補正の内容】
【特許請求の範囲】
【請求項１】
光学素子であって、
偏光ビームスプリッタであって、
第１及び第２のプリズムと、
第１、第２、第３、及び第４のプリズム面と、
前記第１のプリズムと前記第２のプリズムとの間に配置される、第１の反射偏光子と、を備える、偏光ビームスプリッタと、
第１のプリズム面に面して配置された偏光フィルタであり、少なくとも１つの選択された波長スペクトルの偏光方向を変えるが、少なくとも１つの別の選択された光の波長スペクトルの偏光方向は変えない能力を有する、偏光フィルタと、
前記第２、第３、及び第４のプリズム面にそれぞれ配置された第２、第３、及び第４の反射偏光子と、
反射偏光子に対向して前記第２、第３、及び第４のプリズム面に面してそれぞれ配置された第１、第２、及び第３の位相差板と、
前記第３の反射偏光子と前記第３のプリズム面との間に配置された偏光回転スタックと、を備える光学素子であり、前記偏光回転スタックが、
第４及び第５の位相差板と、
第１の光の波長スペクトルを透過し、他の光の波長を遮断する、前記第４及び第５の位相差板の間に配置された色選択性のダイクロイックフィルタと、
を備える、光学素子。
【請求項２】
色合成器であって、
請求項１に記載の光学素子と、
前記第１の位相差板に向けて光を発するように構成された第１の光源と、
前記第２の位相差板に向けて光を発するように構成された第２の光源と、
合成色光出力を透過するように配置された出力領域と、
を備える、色合成器。
【請求項３】
対角面及び回転プリズム面を有する少なくとも１つの回転プリズムを更に備え、前記回転プリズム面が、前記第１、第２、又は第３の位相差板のうち１つに面して配置されている、請求項１に記載の光学素子。
【手続補正書】
【提出日】平成24年6月11日(2012.6.11)
【手続補正１】
【補正対象書類名】特許請求の範囲
【補正対象項目名】全文
【補正方法】変更
【補正の内容】
【特許請求の範囲】
【請求項１】
一次元および二次元ゲル電気泳動の画像収集の方法であって、
タンパク質に結合された蛍光色素をパルスレーザスキャナで励起して、たんぱく質の検出および定量化のための蛍光寿命画像化測定値を画素毎のレベルで与え、蛍光減衰曲線の多次指数関数的当てはめを用いて、蛍光色素標識化タンパク質種から生じる蛍光と、ゲルマトリクス自身、ゲル内に存在する溶液または粒子、または散乱効果を含むグループから選択された他の源から生じる蛍光とを分離することを特徴とする、前記画像収集の方法。
【請求項２】
前記タンパク質の検出および定量化は、ブロットした後に蛍光を定量化することを含む、請求項１記載の画像収集の方法。
【請求項３】
前記パルスレーザスキャナは密閉したスキャナ容器内に納めたダイオードレーザである、請求項１記載の画像収集の方法。
【請求項４】
前記パルスレーザスキャナは光ファイバケーブル・コンセントにより外部に取り付けて、用いる励起波長に最適の柔軟性を与える、請求項１記載の画像収集の方法。
【請求項５】
前記方法はグレードアップした現在の計装で行う、請求項１記載の画像収集の方法。
【請求項６】
前記方法は完全に閉じたスキャナシステムで行う、請求項１記載の画像収集の方法。
【請求項７】
蛍光減衰曲線の多次指数関数的当てはめを用いて、後でバックグラウンド除去を行うために、蛍光色素標識化タンパク質種から生じる蛍光と、ブロットした膜を含む他の源から生じる蛍光とを分離することを更に含む、請求項１または２記載の画像収集の方法。
【請求項８】
励起のために多数のレーザ波長を連続的に用いて、時間分解蛍光と蛍光色素のスペクトル分離との組合せを容易にし、スペクトル分離による多重化を用いて寿命減衰スペクトルの複雑さを減らすことを更に含む、請求項１記載の画像収集の方法。
【請求項９】
二重蛍光寿命画像化測定がある、請求項８記載の画像収集の方法。
【請求項１０】
前記蛍光色素に特有の強度蛍光減衰曲線を積分して曲線の下の面積を計算することを更に含む、請求項１記載の画像収集の方法。
【請求項１１】
自動化およびユーザが使いやすい機能を組み込むことを更に含む、請求項１記載の画像収集の方法。
【請求項１２】
前記自動化およびユーザが使いやすい機能は、得られる一次元または二次元のゲル電気泳動の図形的および定量的計算、蛍光寿命画像化解析のための自動化プロトコル、前記バックグラウンド成分の除去、および二次元のゲル電気泳動に用いられる標準蛍光色素のための蛍光色素成分の強度画像のエクスポートの少なくとも１つを含む、請求項１１記載の画像収集の方法。
【請求項１３】
自動化を最大にし、多重化に用いる多数の蛍光色素の連続スキャニングを含むユーザが定義する多数の異なるプロトコルの連続スキャニングのプログラミングを容易にすることを更に含む、請求項１記載の画像収集の方法。
【請求項１４】
ゲルベースのプロテオミクスに用いる蛍光プローブと、スキャン時間の最適化のための可変周波数パルスレーザダイオードとを用いることを更に含む、請求項１記載の画像収集の方法。
【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
プロセッサにより実行される方法であって、
人物の視覚画像を前記人物に関する３次元情報に関連付けることによって前記人物のデジタル表現（Ｒ）を生成するステップであって、前記人物のデジタル表現は、前記人物の表面メッシュと、複数の３次元形状を用いた前記人物の立体表現とを含む、デジタル表現（Ｒ）を生成し、
マーカなしキャプチャを利用して、前記人物の時間的に異なる２つの視覚画像のそれぞれに共通する、前記２つの画像間の前記人物の動きを表す基準点を見出し、
前記２つの画像間の複数の３次元形状の動きに課せられた位置制約に応じて、前記複数の３次元形状の３次元的動きを特徴づけるために、前記人物の立体表現を前記基準点の関数として変形し、
前記人物の前記表面メッシュを、前記立体変形の関数として変形し、
前記人物の変形された前記２次元表面メッシュと変形された前記立体表現とに応じて、前記人物の更新されたデジタル表現を生成すること、
を含む、方法。
【請求項２】
前記表面メッシュは三角形の集合を含み、前記複数の３次元形状は四面体を含む、請求項１に記載の方法。
【請求項３】
前記デジタル表現（Ｒ）を生成するステップは、
Ｒの表面上の３次元の点ポイント（Ｐ）の高密度の集合と、前記表面上のポイント間の接続性とを特徴づけ、
Ｐにおける各点の座標の集合によって前記人物を画定し、
参照姿勢における前記人物の形状を表す、Ｒの疎な立体版（Ｖ）を特徴づけること、
により前記デジタル表現を生成することを更に含み、
ここで、Ｖは四面体頂点（Ｑ）の集合として表され、姿勢はＱの各点の３次元座標で画定される、請求項１に記載の方法。
【請求項４】
前記人物の表面メッシュを変形する前記ステップは、前記人物の前記立体表現の変形ステップにおける前記基準点とは異なる、ひと組の基準点の集合から構築される、第２の
点制約の集合を利用することを更に含む、請求項３に記載の方法。
【請求項５】
前記人物の更新されたデジタル表現を生成する前記ステップは、
前記人物の前記変形された表面メッシュと、前記変形された立体表現とに応じて、３次元点制約に関する位置情報を画定し、
前記画定された位置情報に応じて、それぞれの時刻における前記人物の幾何配列を表す、キャプチャされたパフォーマンスモデル（Ｍ）を生成することであって、Ｍは各個別時刻におけるＲの全ての点Ｐに対する、３次元点位置の集合と、Ｖの各頂点Ｑの位置の集合と、を含み、
画像センサからの測定値に対応して、各時刻ステップにおける外観の表現（Ｉ）を生成すること、
を含む、請求項３に記載の方法。
【請求項６】
表現（Ｉ）を生成する前記ステップは、
前記人物の時間変化する多視点画像データと、時刻が異なる画像データにおける前記人物の表面ポイント間の対応関係を記述する特徴と、各時刻ステップにおける前記人物の体勢及び詳細な表面外観を記述する特徴と、
を含む、画像センサからのデータを利用するステップを含む、請求項５に記載の方法。
【請求項７】
画像センサからの測定値を利用し、基準マーカを利用しない、アニメーションモデルＭを推定するステップと、
実世界被写体Ｉの表現とのアライメントによりＭのパラメータを推定するステップと、
を更に含む、請求項３に記載の方法。
【請求項８】
Ｉを考慮してＶの最適変形を見つけることにより、各時刻ステップにおける前記人物の大まかな姿勢をキャプチャするステップと、
前記の大まかな姿勢推定を利用して前記人物をトラッキングすることにより、Ｒの精密表面モデルを利用してパフォーマンスの各時刻ステップにおける詳細な表面推定を算出するためのモデルＭを生成するステップと、
を更に含む、請求項５に記載の方法。
【請求項９】
前記立体表現の変形ステップが、各四面体に対して前記人物の骨格モデルから独立した、３次元での動きの自由度を含む、請求項２に記載の方法。
【請求項１０】
時刻の異なる画像シーケンスに対して、時空間的にコヒーレントな形状、動き、及びテクスチャを受動的に再構築することを更に含む、請求項１に記載の方法。
【請求項１１】
前記立体表現を変形するステップは、局所的に体積が一定となるように前記モデルの形状を局所的に保存することを含む、請求項１に記載の方法。
【請求項１２】
１組の頂点の集合を有する３次元形状の集合として前記人物を表現するステップと、
前記頂点集合の投影位置と、前記投影位置と前記頂点集合の実位置との間の距離との関数として、前記頂点集合の部分集合を選択するステップと、
基準点を見つけるために低分解能でトラッキングするステップと、
精密変形を行うために高分解能でトラッキングするステップと、
を更に含む、請求項１に記載の方法。
【請求項１３】
立体変形を適用する前記ステップは、前記人物の剛直的変形部分とは実質的に独立して動く、前記人物の非剛直的変形部分に対応することを含む、請求項１に記載の方法。
【請求項１４】
人物の視覚画像をその人物に関する３次元情報に関連付けることによって前記人物のデジタル表現（Ｒ）を生成し、前記人物のデジタル表現は、前記人物の表面メッシュと、複数の３次元形状を用いた前記人物の立体表現とを含み、
マーカなしキャプチャを利用して、前記人物の時間的に異なる２つの視覚画像のそれぞれに共通する、前記２つの画像間の前記人物の動きを表す基準点を見出し、
前記２つの画像間の複数の３次元形状の動きに課せられた位置制約に応答して、前記複数の３次元形状の３次元的の動きを特徴づけることを可能とする前記基準点の関数として、前記人物の立体表現を変形し、
前記人物の前記表面メッシュを、前記立体変形の関数として変形し、
変形された前記表面メッシュと、前記人物の変形された前記立体表現とに応じて、前記人物の更新されたデジタル表現を生成する
ように構成適合され、準備された処理回路を含む、装置。
【請求項１５】
前記処理回路は更に、
基準点を見つけるために低分解能トラッキング手法を利用し、
精密変形を適用するために高分解能手法を利用し、
前記低分解能トラッキング手法から導かれる、低精細度モデルを利用して前記人物の姿勢を判定し、
時刻の異なる画像シーケンスに対して、時空間的にコヒーレントな形状、運き、及びテクスチャを受動的に再構築し、
前記人物の骨格から独立し、かつ各３次元形状に対して３次元の動きの自由度を以って、前記人物モデルを立体変形させ、
前記人物をモデル化する四面体メッシュを利用するデジタル表現を立体変形させ、
３次元の点制約に従って、前記人物の立体表現を立体変形させ、
立体モデルの姿勢と更なる３次元のポイント制約に従って、前記表面メッシュを変形させ、
前記全頂点集合の投影位置と、前記投影位置と前記全頂点集合の実位置との間の距離との関数として、前記３次元形状の全頂点集合から頂点を選択し、
前記立体表現の変形において、前記人物の剛直的変形部分の動きとは実質的に独立した動きをする、前記人物の非剛直的変形部分に対応する
のためのものである、請求項１４に記載の装置。
【手続補正書】
【提出日】平成24年5月24日(2012.5.24)
【手続補正１】
【補正対象書類名】特許請求の範囲
【補正対象項目名】全文
【補正方法】変更
【補正の内容】
【特許請求の範囲】
【請求項１】
複数の顧客に関連する複数の金融商品（ＦＩ）ポートフォリオに対応するポートフォリオデータを記憶するポートフォリオデータベース手段と、
前記ポートフォリオデータベース手段によって記憶されるポートフォリオデータにアクセスして読み出し、かつ少なくとも一つの基準を満たす複数のポートフォリオのうちの一つ以上のポートフォリオを自動的に識別するＦＩベース管理アプリケーション手段と、を備え、
各識別ポートフォリオに関して、前記ポートフォリオデータベース手段から前記識別ポートフォリオに対応する読み出されたポートフォリオデータに基づいて、前記ＦＩベース管理アプリケーション手段が、前記識別ポートフォリオに関連する顧客に対応する顧客固有管理データを顧客管理手段から選択的に読み出し、前記顧客固有管理データが、少なくとも一つのあて先を規定する顧客固有あて先情報を少なくとも含み、かつ、
各識別ポートフォリオに関して、前記ＦＩベース管理アプリケーション手段が、前記識別ポートフォリオに対応するポートフォリオ関連データを、前記顧客固有管理データによって規定されたあて先に自動的に通信する、システム。
【請求項２】
前記一つ以上のポートフォリオを識別する際に、前記ＦＩベース管理アプリケーション手段が、前記ポートフォリオデータベース手段によって記憶されるポートフォリオデータにアクセスし、かつ所定のイベントベース基準を満たすイベントを有する少なくとも一つの金融商品を含む一つ以上のポートフォリオを自動的に識別する、請求項１に記載のシステム。
【請求項３】
前記ポートフォリオデータが、少なくとも前記イベントの情報を含む、請求項２に記載のシステム。
【請求項４】
前記イベントベース基準が、前記金融商品の満期または前記金融商品のバリアのうちの少なくとも一つに関連する、請求項２または３に記載のシステム。
【請求項５】
前記ＦＩベース管理アプリケーション手段が、取引を規定する取引パラメータを受信し、前記取引パラメータに基づいて前記ポートフォリオデータベース手段によって記憶されるポートフォリオデータにアクセスし、前記取引パラメータに関連する基準に基づいて一つ以上の識別ポートフォリオを自動的に識別する、請求項１乃至４の何れか一項に記載のシステム。
【請求項６】
前記複数の顧客に対応する顧客固有情報を記憶する顧客データベース手段を備え、前記ＦＩベース管理アプリケーション手段が、前記識別ポートフォリオに関連する顧客に対応する顧客固有情報を前記顧客データベース手段から選択的にアクセスして読み出し、前記顧客データベース手段から読み出された識別ポートフォリオに関連する顧客に対応する顧客固有情報に基づいて、前記取引に対応する顧客固有取引品を自動的に生成し、前記顧客固有取引品を、前記顧客固有管理データによって規定されたあて先に自動的に通信する、請求項５に記載のシステム。
【請求項７】
前記ＦＩベース管理アプリケーション手段が、前記識別ポートフォリオに対応する一つ以上の推薦取引を決定し、前記識別ポートフォリオに対応する前記ポートフォリオ関連データが、前記一つ以上の推薦取引に関する推薦情報を含む、請求項１乃至６の何れか一項に記載のシステム。
【請求項８】
前記推薦取引が、前記ポートフォリオに含まれる金融商品に対応する少なくとも一つの取引、および／または前記ポートフォリオに追加された金融商品に対応する少なくとも一つの取引を含む、請求項７に記載のシステム。
【請求項９】
前記ポートフォリオデータベース手段から読み出されたポートフォリオデータに基づいて、前記ＦＩベース管理アプリケーション手段が、通貨エクスポージャおよび対応する金利エクスポージャをヘッジしない一つ以上のポートフォリオを識別し、前記推薦取引が、ヘッジされていないエクスポージャをヘッジする取引を含む、請求項７または８に記載のシステム。
【請求項１０】
前記複数の顧客に対応する複数の顧客プロフィールを記憶する顧客プロフィールデータベース手段を備え、前記ＦＩベース管理アプリケーション手段が、少なくとも一人の顧客に関連する複数のポートフォリオのうちの一つ以上のポートフォリオに基づいて、前記複数の顧客のうちの少なくとも一人の顧客に対応する顧客固有プロフィールを前記顧客プロフィールデータベース手段から選択的にアクセスして読み出し、前記ＦＩベース管理アプリケーション手段が、前記顧客プロフィールに基づいて前記少なくとも一人の顧客に提案される取引の一つ以上の顧客固有パラメータを自動的に決定する、請求項１乃至９の何れか一項に記載のシステム。
【請求項１１】
前記顧客固有パラメータが販売マージンを含む、請求項１０に記載のシステム。
【請求項１２】
前記ＦＩベース管理アプリケーション手段が、前記複数のポートフォリオに対応するリアルタイムマーケットデータを受信し、前記リアルタイムマーケットデータに基づいて前記一つ以上のポートフォリオを自動的に識別する、請求項１乃至１１の何れか一項に記載のシステム。
【請求項１３】
前記ＦＩベース管理アプリケーション手段が、一つ以上のユーザ規定パラメータに基づいて前記基準を規定する、請求項１乃至１２の何れか一項に記載のシステム。